(57)【要約】【課題】本発明は、口にくわえるだけで、空いた時間を活用して表情筋を鍛えてしわ等を減らすことが可能なフェイシャルエクササイズ装置を提供する。【解決手段】先端に口内に挿入可能な挿入部１aを有する本体部１と、本体部１の内部に設けられたバイブレータ２とを備える。バイブレータ２は、モータ２aの軸に偏心輪２ｂを固着した構成のもので、２個設けられたダブル構成のものとする。本体部１にバイブレータ２を制御する電源ボタン１０が設けられ、電源ボタン１０を押すごとにバイブレータ２の振動の強さをコントロールできるようにしている。【選択図】図１
2020011059.tif 000002
【特許請求の範囲】
【請求項１】
先端に口内に挿入可能な挿入部を有する本体部と、
前記本体部の内部に設けられたバイブレータと、を備えたこことを特徴とするフェイシャルエクササイズ装置。
【請求項２】
前記バイブレータは、モータの軸に偏心輪を固着した構成のものである請求項１記載のフェイシャルエクササイズ装置。
【請求項３】
前記バイブレータは２個設けられたダブル構成のものである請求項２記載のフェイシャルエクササイズ装置。
【請求項４】
前記本体部に前記バイブレータを制御する電源ボタンが設けられ、該電源ボタンを押すごとに前記バイブレータの振動の強さをコントロールできるようにした請求項１乃至３のいずれかに記載のフェイシャルエクササイズ装置。
【請求項５】
前記挿入部に着脱自在に嵌合される筒状のマウスカバーを備えたことを特徴とする請求項１乃至４のいずれかに記載のフェイシャルエクササイズ装置。
【請求項６】
前記挿入部に着脱自在に嵌合される、上下歯で噛むことができる凹部が形成されたマウスピースを備えたことを特徴とする請求項１乃至４のいずれかに記載のフェイシャルエクササイズ装置。
【発明の詳細な説明】
【技術分野】
【０００１】
本発明は、顔面の口輪筋をはじめとする様々な表情筋に効率よく負荷を与えて、ほうれい線等のしわを減らすフェイシャルエクササイズ装置に関するものである。
【背景技術】
【０００２】
表情筋の衰えにより増えてくるほうれい線等のしわを減らしたいという願望に対し、種々の器具や装置が提案されている。しかしながら、従来は、大がかりな装置が多く、又、携帯可能な器具もあるが効果的にしわを減らす効果はあまり期待できず、かつ、空いた時間を利用して、飽きないで手軽に使用を継続できる安価な器具や装置は存在しなかった。
【発明の概要】
【発明が解決しようとする課題】
【０００３】
本発明は、口にくわえるだけの簡単な器具で、空いた時間を活用して表情筋を鍛えてしわ等を効果的に減らすことが可能なフェイシャルエクササイズ装置を提供することを目的としている。
【課題を解決するための手段】
【０００４】
本発明のフェイシャルエクササイズ装置は、先端に口内に挿入可能な挿入部を有する本体部と、前記本体部の内部に設けられたバイブレータと、を備えたことを特徴とするものである。
【０００５】
前記バイブレータは、モータの軸に偏心輪を固着した構成のものであることが好ましい。
【０００６】
前記バイブレータは２個設けられたダブル構成のものであることが好ましい。
【０００７】
前記本体部に前記バイブレータを制御する電源ボタンが設けられ、該電源ボタンを押すごとに前記バイブレータの振動の強さをコントロールできるようにすることが好ましい。
【０００８】
前記挿入部に着脱自在に嵌合される筒状のマウスカバーを備えることが好ましい。
【０００９】
前記挿入部に着脱自在に嵌合される、上下歯で噛むことができる凹部が形成されたマウスピースを備えることが好ましい。
【００１０】
本発明によれば、口にくわえるだけで、表情筋に振動が伝わって表情筋が鍛えられ、顔のほうれい線その他のしわが防止され、空いた時間を活用して簡単に使用することができ、容易に使用継続すすることができる。
【図面の簡単な説明】
【００１１】
【図１】本発明の一実施形態に係るフェイシャルエクササイズ装置の側面図である。
【図２】本発明の一実施形態に係るフェイシャルエクササイズ装置の分解斜視図である。
【図３】バイブレータの切替モードの設定を示す説明図である。
【図４】本発明の一実施形態に係るフェイシャルエクササイズ装置の使用方法の一例を示す説明図である。
【発明を実施するための形態】
【００１２】
以下、図面に基づいて本発明に一実施形態に係るフェイシャルエクササイズ装置を説明する。ここでは、本発明の一実施形態を示すが、これに限定されるものではなく、本発明の主旨を逸脱しない範囲内で種々変更して実施することが可能であり、特許請求の範囲に記載した技術思想によってのみ限定されるものである。
【００１３】
図１は、本発明一実施形態によるフェイシャルエクササイズ装置の側面図である。
【００１４】
本発明のフェイシャルエクササイズ装置は、先端に細首状のくわえ部１aを有する略とっくり形状の本体部１を備えている。
【００１５】
図２は、本実施形態のフェイシャルエクササイズ装置の分解斜視図を示している。本体部１内は空洞になっており、この本体部１内に２個のバイブレータ２が縦方向にホルダ５を介して設置されている。このバイブレータ２は、モータ２aと、その回転軸に取付けられた偏心輪２ｂとからなり、モータ２aを回転させることで偏心輪が回転して振動する構成のものが使用されているが、これに限定するものではなく、例えば電磁式のものでもよい。バイブレータ２はホルダ５を介して本体部１内に固定されている。バイブレータ２のモータ２aは、リード線３を介して制御基盤４に接続されている。
【００１６】
電池ホルダ６は本体部１の下部に固定され、電池ホルダ６に装着された電池７は上記制御基盤４と電気的に接続されている。電池ホルダ６の下面には電池カバー８がねじ込まれている。
【００１７】
本体部１の底部近くに電源ボタン１０が設けられている。電源ボタン１０は、バイブレータ２の振動モードを切替えるモード切替ボタンを兼用しており、１回押すごとに振動モードを変化させるようになっている。電源ボタン１０の周囲にはLED等の発光部１１が設けられており、電源ボタン１０の切替えるごとに発光色が変化するようになっている。
【００１８】
図１に示すように、くわえ部１aには、マウスカバー１２又はマウスピース１３を着脱自在に装着するようになっている。マウスカバーは丸みをおびた底部１２aを有する筒形のものである。マウスピース１３は、筒状のカバー部１３に２つのフランジ１３a、１３ｂを形成してフランジ１３a、１３ｂ間に凹部１４を形成したものである。マウスカバー１２及びマウスピース１３は、くわえる口の大きさに合うように異なったサイズのものを用意しておくことが好ましい。マウスカバー１２及びマウスピース１３は柔軟性のあるシリコンゴム等の樹脂材で形成されている。
【００１９】
図３に示すように、バイブレータ２は、複数の振動モードで振動するように制御されるようになっている。以下、振動モードについて説明する。
【００２０】
最初に電源ボタン１０を押したときには、電源がオンすると同時に発光部１１が点灯する。１回電源ボタン１０を押すと、バイブレータ２はイージーモードで振動を開始すると共に、発光部１１が緑色に点灯する。ここに、イージーモードとは、１つのバイブレータ２の駆動で、弱→中の振動を約１分間で循環する動作である。
【００２１】
２回電源ボタン１０を押すと、バイブレータ２はノーマルモードで振動を開始すると共に、発光部１１が青色に点灯する。ここに、ノーマルモードとは、１つのバイブレータ２の駆動で、弱→中→強の振動を約３分間で循環する動作である。
【００２２】
３回電源ボタン１０を押すと、バイブレータ２はハードモードで振動を開始すると共に、発光部１１が赤色に点灯する。ここに、ハードモードとは、２つのバイブレータ２、２の同時駆動で、弱→中→強→最強の振動を約３分間で循環する動作である。
【００２３】
次に、図４に基づいて本実施形態のフェイシャルエクササイズ装置の使用方法を説明する。通常はくわえ部１aにマウスカバー１２を嵌合させ、電源ボタン１０を押す。使用者は、電源ボタン１０により、イージーモード、ノーマルモード、あるいはハードモードのいずれかを選択した後、図４(a)に示すように、マウスカバー１２を嵌合させたまくわえ部１aを口に挿入し、手に持った状態で唇１５でくわえる。次いで、図４(b)に示すように、手を離し、唇１５のみで本体部１を保持する。これにより、バイブレータ２の振動が唇１５から顔全体に伝わり、表情筋が鍛えられる。
【００２４】
マウスカバー１２を嵌合させた状態では唇のみで本体部１を保持することが困難な初心者の場合、マウスピース１３を使用することができる。マウスカバー１２の代わりにこのマウスピース１３をくわえ部１aに嵌合させて口に挿入し、上下の歯で凹部１４を噛むことにより、本体部１を保持する。これにより、唇１５のみで保持できない初心者でも歯の力で本体部１を保持することができる。
【００２５】
以上のように、本実施形態のフェイシャルエクササイズ装置は、バイブレータ２が発生する振動により、表情筋を刺激すると共に、唇の力でくわえることによって口輪筋をはじめとする各種表情筋に効率よく負荷を与え、ほうれい線の進行を抑制することができる。また、バイブレータ２の振動モードは、種々のモードで動作させることができ、年齢、表情筋の状態、あるいは口の力等に応じて任意設定することができる。なお本実施形態では、振動モードを最大４段階としているが、更に細分することも可能である。このように口にくわえるだけで、掃除や洗濯等をしながらでも、また、テレビ等を見ながらでも空いた時間を活用して、表情筋を鍛えることができる。
【符号の説明】
【００２６】
１  本体部
１a  くわえ部
２  バイブレータ
２a  モータ
２ｂ  偏心輪
４    制御基盤
１０  電源ボタン
１２  マウスカバー
１３  マウスピース
１４  凹部
【図１】
2020011059.tif 000003
【図２】
2020011059.tif 000004
【図３】
2020011059.tif 000005
【図４】
2020011059.tif 000006